【事件の表示】
　平成　４年特許願第　　４９２１号「マルチトラックレコーダ」拒絶査定不服審判事件〔平成　５年　７月３０日出願公開、特開平　５−１８９８７２〕について、次のとおり審決する。
【結　論】
　本件審判の請求は、成り立たない。
【理　由】
１．手続の経緯・本願発明
　本願は、平成４年１月１４日の出願であって、その請求項１に係る発明は、平成１７年１０月１３日付けの手続補正書で補正された明細書の特許請求の範囲の請求項１に記載された事項により特定されるとおりのものであって、その請求項１に係る発明（以下、「本願発明」という。）は、次のとおりのものである。
　
　
「入出力される複数種のデータのそれぞれの転送レートを決定する転送レート決定手段と、
　前記転送レート決定手段により決定された複数種のデータのそれぞれの転送レートに応じて定まる各転送周期で複数種のデータのそれぞれを並列的に入出力する複数の入出力手段と、
　前記複数種のデータに対応して設けられ、複数種のデータをそれぞれ個別に一時記憶する複数のバッファ手段と、
　前記複数の入出力手段を介して並列的に入力される複数種のデータを、予め定められた優先順位に従って、それぞれ対応するバッファ手段に書き込む一方、各バッファ手段にそれぞれ書き込まれたデータを前記優先順位に従って読み出して外部記憶手段に設けたデータ種別の各トラックにそれぞれ記録する記録手段と、
　前記外部記憶手段がデータ種別の各トラックからそれぞれ読み出す複数種のデータを、前記優先順位に従って対応するバッファ手段に書き込む一方、各バッファ手段にそれぞれ書き込まれたデータを前記優先順位に従って読み出して前記複数の入出力手段を介して並列的に再生出力する再生手段と、
　前記再生手段が前記複数の入出力手段を介して並列的に再生出力する複数種のデータを、１つの表示画面内に同時に個別表示する表示手段と
　を具備して成るマルチトラックレコーダ。 」
　
　
２．引用例
１）第１引用例
 　これに対して、当審において通知した拒絶の理由で引用された特開平３−２９０８７４号公報（以下、「第１引用例」という。）には、図面とともに次の技術事項が記載されている。　
　
（ａ）
「（３）Ａ、複数のチャンネルのアナログ信号をそれぞれＡＤ変換する複数のＡＤ変換器と、
Ｂ、この複数のＡＤ変換器がＡＤ変換したディジタル符号列をそれぞれランダムアクセス可能な量のデータブロックに　蓄積する複数のバッファと、
Ｃ、この複数のバッファにデータブロックが蓄積されるごとに、蓄積されたデータブロックを選択して取り出す書込装　置と、
Ｄ、この書込装置で選択したデータブロックを各信号のチャンネルごとに仕分けしてランダムファイルに記憶するラン　ダムファイルメモリと、
　によって構成した信号記録装置。」（特許請求の範囲（３））
　
（ｂ）
「「発明が解決しようとする課題」
従来は複数の再生装置で各音の信号をタイミングを合わせて再生し、その再生された信号を一つの記録装置に取り込んで合成するから、再生装置が複数必要となる欠点がある。
　また、複数の再生装置から音の信号をタイミングを合わせて再生することはむずかしい。
　更に、従来はあるチャンネルの音の信号を任意のタイミングで取り出して、他のチャンネルの信号の所望のタイミング位置に合成するような編集を行うにはかなりの量の試行錯誤を実行しなければならなかった。
　この発明の目的は、一つの再生装置から複数チャンネルの信号を任意のタイミングで取り出して再生し、他のチャンネルの信号の任意のタイミング位置に合成する等の編集を行うことができる信号記録方法及びこの方法を用いた信号記録装置を提供しようとするものである。」（公報第２頁左上欄第１０行〜同右上欄第７行　
　
（ｃ）
「「実施例」
　第１図及び第２図を用いて、この発明による信号記録方法を説明する。
　第１図において、１０はアナログ信号源を示す。このアナログ信号源１０から出力されたアナログ信号をサンプルホールド回路１１で所定の時間間隔でサンプルホールドし、そのサンプルホールドしたアナログ電圧をＡＤ変換器１２でＡＤ変換する。
　この発明ではＡＤ変換器１２でＡＤ変換して得られたディジタル符号列をバッファメモリ１３においてランダムアクセス可能な最小単位のデータブロックに蓄積する。
　ランダムアクセス可能な最小データブロックとしては記憶媒体をフロッピィ−ディスクあるいはハードディスクのような磁気記憶媒体を用いる場合にはｌセクタ（磁気トラック上で分割される一区分を表す名称）に記録するデータ量がランダムアクセス可能な最小単位となる。通常、磁気記録媒体における１セクタには２５６バイトのデータを記録することができる。
　従って、この例ではバッファメモリ１３に２５６ハイトのデータが蓄積されるごとに、書込装置１４はランダムファイルメモリ１５にバッファメモリ１３に蓄積されたデータブロックを与え、ランダムファイルメモリ１５の一つのセクタに一つのデータブロックを書き込む、バッファメモリ１３に１データブロツクが蓄積され時間は１データブロツクをランダムファイルメモリ１５に転送して書き込む時間に比して充分長い。従って、書込みが開始されるとほゞ瞬時にバンフッメモリ１７は空になる。
　ランダムファイルメモリ１５への書込位置は、別に用意したインデックスデータファイルに書き込まれ、このインデックスデータファイルによりアナログ信号に付した名称と、ランダムファイルに書き込んだデータブロックの書込位置が管理される。
　書込装置１４はマイクロコンピュータによって権威され、ランダムファイルメモリ１５は例えばフロッピーディスク装置、あるいはハ−ドディスク装置はあるいは半導体メモリを用いたラムディスク等によって権威することができる。」
（公報第２頁左下欄第６行〜同第３頁左上欄第８行）
　
（ｄ）
「第２図にデータブロックの書込状況を示す。セクタS11,S12,S13,……S1nにある音のデータブロックA1,A2,A3,A4……Anが書き込まれる。このデータブロック列の後のセクタS21,S22,S23,S24……に別の音のデータブロックB1,B2,B3……Bnが記録される。
  このように記録したデータブロックは各セクタS11,S12,S13,S14……S1nを単位として任意に指定して読み出すことができる。従って、例えばセクタS11とS1iとS1nをアクセスしてデータブロックA1とAiとAnを読み出し、この三つのデータブロックA1,Ai,Anを一つの連続した信号に編集することができる。
  また他の方法としてデータブロックA1とB1を読み出し、この二つのデータブロックを二つのバッファメモリに収納して、これらを同時にバッファメモリから読み出すことによって、二つの音を重ね合わせた信号に編集することができる。」（公報第３頁左上欄第９行〜同右上欄第６行）
　
（ｅ）　
「第３図にこの発明による信号記録方法を用いた信号記録装置を示す。
  第３図に示す信号記録装置は複数のアナログ信号を同時に取り込んで記録する装置の構成を示す。
  10A,10B,10C,10Dはそれぞれアナログ信号源を示す。このアナログ信号源10A〜10Dから出力される各アナログ信号はサンプルホールド回路11A〜11DとAD変換器12A〜12Dによってそれぞれディジタル符号列に変換され、バッファメモリ13A〜13Dでデータブロックに蓄積される。
  バッファメモリ13A〜13Dはこの例では１データブロックを収納するバッファメモリを２段縦続接続し、前段のバッファメモリによってディジタル符号列をデータブロックに蓄積する動作を行わせ、１データブロックが蓄積されると後段のバッファメモリにデータブロックを移し、書込装置14からの書込指令を持つことができるように構成した場合を示す。
  このようにバッファメモリ13A〜13Dを構成することにより、多チャンネルの信号を一つのランダムファイルメモリ15に書き込む際に、バッファメモリがオーバーフローすることを防止し、多チャンネルのデータブロックを順次ランダムファイルメモリ15に書き込むことができる。」（公報第３頁右上欄第７行〜同左下欄第１１行）
　
（ｆ）
「第４図及び第５図にランダムファイルメモリ15内のデータブロックの書込状況を示す。
  第４図は各音の信号ごとに書込領域AA,BB,CC,DDを予め確保し、その各書込領域AA〜DD内の各セクタにデータブロックA1〜An,B1〜Bn,C1〜Cn,D1〜Dnを書き込んだ場合を示す。
  また第５図の例では、データブロックの取込順序に従ってデータブロックを書き込んだ場合を示す。
  第４図及び第５図のいずれの書込方法に従って書込みを行ったとしても、インデックスファイルにはどのチャンネルの何番目のデータブロックがどのセクタに書き込まれているかが記憶され、ランダムアクセスメモリ15の一部に書き込まれる。
  このインデックスファイルを利用することにより一つのチャンネルの音のデータブロックを連続して読み出したり、任意のタイミングのデータブロックだけを読み出すことができる。」（公報第３頁左下欄第１２行〜同右下欄第１０行）
　
（ｇ）
「第６図に再生装置の一例を示す。ランダムアクセスメモリ15に読出装置16が接続される。この読出装置16はマイクロコンピュータによって構成される。マイクロコンピュータに内蔵されたRAM16Aにランダムアクセスメモリ15に書き込んであるインデックスファイルを予め読み込んでおき、キィーボード16Bから入力した指令に従って、例えばデータブロックをA1,B1,C1,D1,A2,B2,C2,D2,A3,B3,C3,D3……順に読み出したり、A1,A4,A7,A9のように任意のデータブロックを読み出したり、ランダムファイルメモリ15を自由にアクセスすることができる。
  読出装置16で読み出されたデータブロックはバッファメモリ17A〜17Dに取り込まれる。バッファメモリ17A〜17Dは先の例と同じように１データブロックを収納することができるバッファメモリを２段縦続接続した構造とされる。
  バッファメモリ17A〜17Dから出力されたデータブロックはディジタルミクシング回路でミクシングし、一つの信号に合成することができる。
  この例では、各データブロックをDA変換器18A〜18Dに入力し、アナログ信号に逆変換して出力し、そのアナログ信号を増幅器19A〜19Dで増幅し、増幅器19A〜19Dの出力信号によってスピーカ20A〜20Dを駆動させるように構成した場合を示す。
  このように再生装置を構成することによって、各チャンネルのデータブロックを任意に読み出すことができる。」
（公報第３頁右下欄第１２行〜同第４頁左上欄第２０行）
　
　上記第１引用例の記載事項及び図面を総合勘案すると、第１引用例には、結局、次の発明が記載されている。
　
「複数のチャンネルのアナログ信号をそれぞれＡＤ変換する複数のＡＤ変換器１２Ａ〜１２Ｄと、
　この複数のＡＤ変換器１２Ａ〜１２ＤがＡＤ変換したディジタル符号列を蓄積する複数のバッファ１３Ａ〜１３Ｄと、
　前記複数のバッファ１３Ａ〜１３Ｄにデータブロックが蓄積されるごとに、蓄積されたデータブロックを選択して取り出し、選択したデータブロックをハードディスクからなるランダムファイルメモリ１５のチャンネルごとに設けられた領域に書き込む書込装置１４と、
　ランダムファイルメモリ１５から続出装置１６で読み出されたデータブロックはバッファメモリ１７Ａ〜１７Ｄに取り込まれ、各データブロックをＤＡ変換器１８Ａ〜１８Ｄに出力し、
　アナログ信号に逆変換された信号を増幅器１９Ａ〜１９Ｄで増幅し、増幅器１９Ａ〜１９Ｄの出力信号によってスピーカ２０Ａ〜２０Ｄを駆動し重ね合わせた信号を出力する、
　信号記録再生装置」
　
２）第２引用例
 　また、当審において通知した拒絶の理由で引用された特開平３−２１０６４６号公報（以下、「第２引用例」という。）には、図面とともに次の技術事項が記載されている。　
　
（ｈ）
「〔従来の技術〕
第３図にＤＭＡ転送を行なうコンピュータのブロック図を示す。
図において、（４）はCPU、（５）はCPUと周辺装置間でデータの転送を行なうI/Oバス、（６）はDMAの制御を行なうDMAC（DMAコントローラ）、（７）はデータを記憶するメモリ、（８ａ）〜（８ｃ）はコンピュータと他の機器とのデータの転送を行なうI/O装置である。」（公報第１頁右下欄第７行〜同第１５行）
　
（ｉ）
「次に動作について説明する。DMA転送とは、ダイレクト・メモリ・アクセス転送のことで、通常メモリとメモリ間あるいは、I/O装置とメモリ間でデータの転送を行なう場合、−旦CPUを介してデータ転送を行なうが、DMA転送では、DMACがI/Oバスを制御することにより、メモリとメモリ間または、I/O装置とメモリ間で直接データ転送を行なう。この発明は、I/O装置とメモリ間でDMA転送を行なう場合である。」（公報第１頁右下欄第１６行〜同第２頁左上欄第４行）　
　
（ｊ）
「第３図に示す様に、I/Oバス（５）に接続したI/O装置（８ａ）　〜（８ｃ）は、I/OバスにDRQ信号（DMAリクエスト信号）を出力し、I/OバスからDACK信号（DMAアクノリッジ信号）を入力する。また、データの人出力信号およびライトストローブ信号であるI/OW信号、リードストローブ信号であるI/OR信号をI/Oバス（５）に接続している。DRQ信号およびDACK信号はI/O装置がそれぞれ専用のチャネルを持っており、０〜ｎチャネルにアサインされている。また、それぞれのチャネルはDMAC（６）により優先順位が与えられており、ここでは、０チヤネルが最も優先順位が高く以下、１，２・・・ｎチャネルの順に優先順位が与えられているものとする。」（公報第２頁左上欄第５行〜同第１８行）　
　
　
３．対　比
　
　本願発明と上記第１引用例に記載された発明とを対比する。
　
　第１引用例に記載された発明における「複数のチャンネルのアナログ信号」、及び「ランダムファイル１５」は、本願発明における「複数種のデータ」、及び「外部記憶手段」に相当する。
　　
　本願発明における「複数の入出力手段」は、明細書の記載を見ると具体的にはＤ／Ａ変換器、Ａ／Ｄ変換器等からなるものであるから、第１引用例に記載された発明における「ＡＤ変換器１２Ａ〜１２Ｄ」、及び「ＤＡ変換器１８Ａ〜１８Ｄ」は、本願発明における「複数の入出力手段」に相当する。
　
　第１引用例に記載された発明における「複数のバッファ１３Ａ〜１３Ｄ」、及び「バッファメモリ１７Ａ〜１７Ｄ」が、本願発明における「複数のバッファ手段」に相当する。
　　
　第１引用例に記載された発明において、ＡＤ変換されたディジタル符号列はバッファ１３Ａ〜１３Ｄ書き込まれ、また、「書込装置１４」は、バッファ手段１３Ａ〜１３Ｄのデータブロックをランダムファイルメモリ１５のデータのチャンネル毎の領域に記録していることから、第１引用例に記載された発明と本願発明とでは「複数の入出力手段を介して並列的に入力される複数種のデータを、それぞれ対応するバッファ手段に書き込む一方、各バッファ手段にそれぞれ書き込まれたデータを読み出して外部記憶手段に設けたデータ種別の領域にそれぞれ記録する記録手段」で共通する。
　
　第１引用例に記載された発明において、「読出装置１６」は、ランダムファイルメモリのデータのチャンネル毎の領域からデータブロックを読出しバッファ手段１７Ａ〜１７Ｄに書込み、データブロックはバッファ手段１７Ａ〜１７ＤからＤ／Ａ変換器１８Ａ〜１８Ｄに出力されるものであるから、第１引用例に記載された発明と本願発明とでは「外部記憶手段がデータ種別の領域からそれぞれ読み出す複数種のデータを、対応するバッファ手段に書き込む一方、各バッファ手段にそれぞれ書き込まれたデータを読み出して前記複数の入出力手段を介して並列的に再生出力する再生手段」で共通する。
　
　第１引用例に記載された発明における「アナログ信号に逆変換された信号を増幅器１９Ａ〜１９Ｄで増幅し、増幅器１９Ａ−１９Ｄの出力信号によってスピーカ２０Ａ〜２０Ｄを駆動し重ね合わせた信号を出力する」とは、Ｄ／Ａ変換器１８Ａ〜１８Ｄからの出力を、チャンネル毎に増幅器１９Ａ−１９Ｄ、スピーカ２０Ａ〜２０Ｄによって同時に出力するものであるから、第１引用例に記載された発明と本願発明とでは「前記再生手段が前記複数の入出力手段を介して並列的に再生出力する複数種のデータを、同時に出力する出力機器」で共通する。
　
　また、本願発明と第１引用例に記載された発明とは「複数種のデータを記録再生する装置」で共通する。
　　　
　そうすると、本願発明と第１引用例に記載された発明とは、次の点で一致する。
　
　<一致点>
　
「複数種のデータのそれぞれを並列的に入出力する複数の入出力手段と、
　前記複数種のデータに対応して設けられ、複数種のデータをそれぞれ個別に一時記憶する複数のバッファ手段と、
　前記複数の入出力手段を介して並列的に入力される複数種のデータを、それぞれ対応するバッファ手段に書き込む一方、各バッファ手段にそれぞれ書き込まれたデータを読み出して外部記憶手段に設けたデータ種別の各領域にそれぞれ記録する記録手段と、
　前記外部記憶手段がデータ種別の各領域からそれぞれ読み出す複数種のデータを、対応するバッファ手段に書き込む一方、各バッファ手段にそれぞれ書き込まれたデータを読み出して前記複数の入出力手段を介して並列的に再生出力する再生手段と、
　前記再生手段が前記複数の入出力手段を介して並列的に再生出力する複数種のデータを、同時に出力する出力機器と
　を具備して成る複数種のデータを記録再生する装置。 」
　
　一方、次の各点で相違する。
　
（相違点１）
　本願発明では入出力される複数種のデータのそれぞれの転送レートを決定する転送レート決定手段があるのに対して、第１引用例に記載された発明ではこの点が特には示されていない点。
　
（相違点２）
　複数種のデータの入出力手段に対する入出力が、本願発明では転送レート決定手段で決定された複数種のデータのそれぞれの転送レートに応じて定まる各転送周期で行われるのに対して、第１引用例に記載された発明ではこの点が特には示されていない点。
　
（相違点３）
　バッファ手段及び外部記憶手段に対するデータの書き込み及び読み出しが、本願発明では予め定められた優先順位に従ってなされるのに対して、第１引用例に記載された発明ではこの点が特には示されていない点。
　
（相違点４）
　外部記憶手段のデータ種別毎に記憶される部分が、本願発明ではトラックであるのに対して、第１引用例に記載された発明ではこの点が特には示されていない点。
　
（相違点５）
　再生手段が複数の入出力手段を介して並列的に再生出力する複数種のデータを、本願発明では１つの表示画面内に同時に個別表示する表示手段があるのに対して、第１引用例に記載された発明ではこの点が特には示されていない点。
　
（相違点６）
  複数種のデータを記録再生する装置が、本願発明ではデータをマルチトラックに記録し再生するものであるのに対して、 第１引用例に記載された発明ではこの点が特には示されていない点。
　
　
４．当審の判断
　
　そこで、上記各相違点について検討する。
１）相違点１、及び相違点２について
　音声と異なる種類の複数の画像データを同時に記録再生するいわゆるマルチメディアの記録再生は周知の技術（例えば、特開平１−２７３２７１号公報（以下、「周知例１」という。特に、公報第１０頁左上欄第１２行〜同右上欄第１４行）、特開平３−１８５６７９号公報（以下、「周知例２」という。特に、公報第１頁右下欄９行〜同第１４行）を参照）に過ぎず、また、複数種のデータを扱う装置において、入出力されるデータの性格に応じて転送レートを変える手段を設けデータに応じて転送レート変えることも周知の技術（例えば、特開昭６３−２７９４６８号公報（特に、特許請求の範囲の記載）を参照）に過ぎず、さらに、複数種のデータとしてどのような信号を選択するかは当業者が設計時に適宜選択なし得たものであることから、第１引用例に記載された発明における複数種のデータを音声と異なる種類の複数の画像データとして、入出力される複数種のデータのそれぞれの転送レートを決定する転送レート決定手段を設け、転送レート決定手段により決定された複数種のデータのそれぞれの転送レートに応じて定まる各転送周期で複数種のデータのそれぞれを並列的に入出力手段に入力させることは、当業者が容易に想到し得たものである。
　
２）相違点３について　　
　第２引用例にはDMACによって複数のＩ／Ｏ装置とメモリ間でデータの転送を行う際に、データの優先順位付けを行いデータを転送させたものが記載されており、更に、第２引用例にはDMACがメモリとメモリ間のデータの転送の制御も可能なことが記載されていることから、Ｉ／Ｏ装置からメモリに転送されたデータをさらに外部記憶装置に転送する際にも同様にデータの優先順位付けを行うものと認められ、また、同じデータの転送を行うのであればＩ／Ｏ装置とメモリ間とメモリと外部記憶装置間では同じ順位付けでデータを転送するものであり、そして、データの転送の制御をＤＭＡＣを用いて行うことは周知の技術であるから、第１引用例に記載された発明における、入出力手段、バッファ手段、及び外部記憶手段間でデータの転送を行う記憶手段及び再生手段に、第２引用例に記載されるＤＭＡＣを適用して、複数の入出力手段を介して並列的に入力される複数種のデータを、予め定められた優先順位に従って、それぞれ対応するバッファ手段に書き込む一方、各バッファ手段にそれぞれ書き込まれたデータを前記優先順位に従って読み出して外部記憶手段に設けたデータ種別の各領域にそれぞれ記録する記録手段、及び、外部記憶手段がデータ種別の各領域からそれぞれ読み出す複数種のデータを、前記優先順位に従って対応するバッファ手段に書き込む一方、各バッファ手段にそれぞれ書き込まれたデータを前記優先順位に従って読み出して前記複数の入出力手段を介して並列的に再生出力する再生手段とすることは当業者が容易に想到し得たものである。
　　　
３）相違点４、及び相違点６について
　複数種のデータを扱う装置において、マルチトラックで記録再生を行うことは周知の技術（例えば、特開平２−１４３９２５号公報（特に、公報第２頁右下欄第３行〜同１９行）、特開平３−１７８０７６号公報（特に、特許請求の範囲（１）の記載）、特開平１−１５５５６４号公報（特に、特許請求の範囲の記載）、特開平３−２９２６８１号公報（特に、公報第２頁左下欄第１３行〜同右下欄第１２行）を参照）にすぎないことから、第１引用例に記載された発明をマルチトラックレコーダとして、外部記憶手段のデータ種別毎に記憶される部分をデータ種別毎の各トラックとすることは当業者が容易に想到し得たものである。
　
４）相違点５について
　異なる種類の複数の画像データを１つの表示画面に内に個別表示させることは周知の技術（例えば、周知例１（特に、第９図）、周知例２（特に、公報第２頁右下欄第６行〜同第３頁左上欄第４行）を参照）に過ぎないことから、第１引用例における複数種のデータを異なる種類の複数の画像データとして、１つの表示画面に内に個別表示させることは当業者が容易に想到し得たものである。
　
　
５．むすび
　
　以上のとおりであって、本願発明は、上記第１引用例及第２引用例に記載された発明及び周知技術に基づいて当業者が容易に発明をすることができたものであるから、特許法第２９条第２項の規定により特許を受けることができない。
　したがって、本願は、拒絶すべきものである。
　よって、結論のとおり審決する。